(57)【要約】【課題】排水管の配置の自由度を確保しつつ、排水管を安定的にタンクに接続できるタンクと排水管との接続構造を提供すること。【解決手段】便器１０と、タンク２０と、タンク２０の上方に設けられる手洗い器３０と、手洗い器３０からの排水をタンク２０に導く柔軟性のある排水管４０と、を備える便器装置１００における排水管４０とタンク２０との接続構造であって、タンク２０は、タンク２０の上面を構成する蓋部２２と、蓋部２２に形成されタンク２０の内部に水を導入する導入口２２２と、蓋部２２の上面における導入口２２２の周囲から立ち上がる立ち上がり部２２３と、を備え、排水管４０は、下流側端部に配置され立ち上がり部２２３の外側に嵌められるタンク接続部４３を備える。【選択図】図７
2015190268.tif 000002
【特許請求の範囲】
【請求項１】
便器と、前記便器に接続され該便器に供給する洗浄水を貯水するタンクと、前記タンクの上方に設けられる手洗い器と、前記手洗い器からの排水を前記タンクに導く柔軟性のある排水管と、を備える便器装置における前記排水管と前記タンクとの接続構造であって、
前記タンクは、該タンクの上面を構成する蓋部と、前記蓋部に形成され前記タンクの内部に水を導入する導入口と、前記蓋部の上面における前記導入口の周囲から立ち上がる立ち上がり部と、を備え、
前記排水管は、下流側端部に配置され前記立ち上がり部の外側に嵌められるタンク接続部を備える接続構造。
【請求項２】
前記蓋部は、前記立ち上がり部の一部が上下方向に切り欠かれて形成される切り欠き部を更に備える請求項１に記載の接続構造。
【請求項３】
前記導入口の外周のうちの前記切り欠き部が形成された部分の長さは、前記切り欠き部が形成されていない部分の長さよりも短い請求項２に記載の接続構造。
【請求項４】
前記排水管に着脱可能に取り付けられ前記タンク接続部を締め付け可能な固定バンドを更に備える請求項１〜３のいずれかに記載の接続構造。
【請求項５】
前記蓋部における前記立ち上がり部の根元部分近傍に形成される排水開口を更に備える請求項１〜４のいずれかに記載の接続構造。
【請求項６】
前記蓋部は、上面視にて前記立ち上がり部の外面における前記排水開口に重なる位置に形成され該立ち上がり部の周方向に延びる突起部を更に備える請求項５に記載の接続構造。
【請求項７】
前記蓋部は、
該蓋部の下面における前記導入口の周囲から下方に筒状に突出する下側筒状部と、
前記下側筒状部に前記切り欠き部から連続して上下方向に延びて形成される下側切り欠き部と、
前記下側筒状部の下方に配置され前記下側切り欠き部が形成された側に下り傾斜となった排水受け部と、を更に備える請求項２〜６のいずれかに記載の接続構造。
【請求項８】
前記排水受け部における前記下側切り欠き部の下流側の幅は、前記下側切り欠き部の幅よりも広い請求項７に記載の接続構造。
【発明の詳細な説明】
【技術分野】
【０００１】
本発明は、手洗い器がタンクの上方に配置された便器装置において、手洗い器の排水をタンクに導く排水管とタンクとを接続する接続構造に関する。
【背景技術】
【０００２】
従来、便器と、この便器に供給する洗浄水を貯めるタンクと、手洗い器と、を備える便器装置では、手洗い器は、タンクの上方に配置されている。そして、このようなトイレ装置では、手洗い器の排水は下方に落下して排出され、タンクに導入される（例えば、特許文献１参照）。特許文献１で提案された便器装置では、手洗い器の排水部を下方に突出させると共に、タンクの上面を構成する蓋部材に形成した開口にこの突出させた排水部を差し込むことで、排水をタンクに導入している。
【先行技術文献】
【特許文献】
【０００３】
【特許文献１】特開２０１２−１９７６６５号公報
【発明の概要】
【発明が解決しようとする課題】
【０００４】
一方、近年、手洗い器をタンクの上方かつ側方に配置した便器装置が提案されている。このような便器装置の場合、手洗い器とタンクとを接続する排水管により手洗い器の排水をタンクに導くことが必要となる。ここで、排水管は、手洗い器からタンクに向かって略水平に延びる部分を有することとなり、また排水管の長さも長くなる。そのため、排水の流れにより排水管が振動等して排水管とタンクとの接続部分が外れないように、排水管をタンクに固定する必要がある。
【０００５】
ところで、手洗い器をタンクの側方に配置するタイプのトイレ装置では、手洗い器をタンクの右側に配置する場合と左側に配置する場合が生じる。そのため、排水管の配置が変わっても安定して排水管をタンクに接続できる接続構造が求められていた。
【０００６】
従って、本発明は、排水管の配置の自由度を確保しつつ、排水管を安定的にタンクに接続できるタンクと排水管との接続構造を提供することを目的とする。
【課題を解決するための手段】
【０００７】
本発明は、便器（例えば、後述の便器１０）と、前記便器に接続され該便器に供給する洗浄水を貯水するタンク（例えば、後述のタンク２０）と、前記タンクの上方に設けられる手洗い器（例えば、後述の手洗い器３０）と、前記手洗い器からの排水を前記タンクに導く柔軟性のある排水管（例えば、後述の排水管４０）と、を備える便器装置（例えば、後述の収納部付き便器装置１００）における前記排水管と前記タンクとの接続構造であって、前記タンクは、該タンクの上面を構成する蓋部（例えば、後述の蓋部２２）と、前記蓋部に形成され前記タンクの内部に水を導入する導入口（例えば、後述導入口２２２）と、前記蓋部の上面における前記導入口の周囲から立ち上がる立ち上がり部（例えば、後述の立ち上がり部２２３）と、を備え、前記排水管は、下流側端部に配置され前記立ち上がり部の外側に嵌められるタンク接続部（例えば、後述のタンク接続部４３）を備える接続構造に関する。
【０００８】
また、前記蓋部は、前記立ち上がり部の一部が上下方向に切り欠かれて形成される切り欠き部（例えば、後述の切り欠き部２２４）を更に備えることが好ましい。
【０００９】
また、前記導入口の外周のうちの前記切り欠き部が形成された部分の長さは、前記切り欠き部が形成されていない部分の長さよりも短いことが好ましい。
【００１０】
また、排水管とタンクとの接続構造は、前記排水管に着脱可能に取り付けられ前記タンク接続部を締め付け可能な固定バンド（例えば、後述のピンバンド４６）を更に備えることが好ましい。
【００１１】
また、排水管とタンクとの接続構造は、前記蓋部における前記立ち上がり部の根元部分近傍に形成される排水開口（例えば、後述の排水開口２２５）を更に備えることが好ましい。
【００１２】
また、前記蓋部は、上面視にて前記立ち上がり部の外面における前記排水開口に重なる位置に形成され該立ち上がり部の周方向に延びる突起部（例えば、後述の突起部２２６）を更に備えることが好ましい。
【００１３】
また、前記蓋部は、該蓋部の下面における前記導入口の周囲から下方に筒状に突出する下側筒状部（例えば、後述の下側筒状部２２７）と、前記下側筒状部に前記切り欠き部から連続して上下方向に延びて形成される下側切り欠き部（例えば、後述の下側切り欠き部２２８）と、前記下側筒状部の下方に配置され前記下側切り欠き部が形成された側に下り傾斜となった排水受け部（例えば、後述の排水受け部２３０）と、を更に備えることが好ましい。
【００１４】
また、前記排水受け部における前記下側切り欠き部の下流側の幅は、前記下側切り欠き部の幅よりも広いことが好ましい。
【発明の効果】
【００１５】
本発明によれば、立ち上がり部に排水管の下流側端部であるタンク接続部を嵌めて排水管とタンクとを接続しているので、排水管の上流側の位置にかかわらず排水管とタンクとを好適に接続できる。よって、排水管の配置の自由度を確保しつつ、排水管を安定的にタンクに接続できる。
【図面の簡単な説明】
【００１６】
【図１】本発明のタンクと排水管との接続構造を備える収納部付き便器装置を示す斜視図である。
【図２】収納部付き便器装置の分解斜視図である。
【図３】蓋部を示す斜視図である。
【図４】蓋部を示す平面図である。
【図５】排水管を示す斜視図である。
【図６】排水管を示す正面図である。
【図７】排水管とタンクとの接続の手順を示す図であり、排水管をタンクに接続する前の状態を示す図である。
【図８】排水管とタンクとの接続の手順を示す図であり、タンク接続部を立ち上がり部に嵌めた状態を示す図である。
【図９】排水管とタンクとの接続の手順を示す図であり、縮径部に取り付けてあったピンバンドをタンク接続部に移動させた状態を示す図である。
【発明を実施するための形態】
【００１７】
以下、本発明の排水管とタンクとの接続構造の好ましい一実施形態について、図面を参照しながら説明する。
まず、本発明の一実施形態に係る排水管とタンクとの接続構造を備える収納部付き便器装置１００の全体構成について説明する。
【００１８】
本実施形態の収納部付き便器装置１００は、図１及び図２に示すように、便器１０と、タンク２０と、手洗い器３０と、排水管４０と、収納部５０と、排水管４０を支持する排水管トレー６０と、を備える。
便器１０は、便器本体１１と、この便器本体１１の上部に便器本体１１に対して開閉可能に取り付けられる便座（図示せず）及び便蓋１２と、を含んで構成される。
【００１９】
タンク２０は、便器１０の後方かつ上方に配置され、便器本体１１を洗浄する洗浄水を貯留する。このタンク２０は、図２に示すように、タンク本体２１と、蓋部２２と、を備える。
タンク本体２１は、上面が開口した箱状に形成され、洗浄水を貯留する。
【００２０】
蓋部２２は、タンク本体２１の上面に配置され、タンク本体２１の上面を覆う。この蓋部２２は、図３及び図４に示すように、蓋本体２２１と、導入口２２２と、立ち上がり部２２３と、切り欠き部２２４と、複数の排水開口２２５と、複数の突起部２２６と、下側筒状部２２７と、下側切り欠き部２２８と、一対の下側壁部２２９と、排水受け部２３０と、導出口２３１と、周壁部２３２と、を備える。
【００２１】
蓋本体２２１は、板状に形成されタンク本体２１の開口を覆う。蓋本体２２１の上面は、略中央部に配置される平面部２２１ａと、この平面部２２１ａに向かって緩やかに下り傾斜した複数の傾斜面部２２１ｂと、を有している。
導入口２２２は、平面部２２１ａに形成される。本実施形態では、導入口２２２は、円形に形成される。
立ち上がり部２２３は、蓋本体２２１の上面における導入口２２２の周囲から筒状に立ち上がって形成される。
【００２２】
切り欠き部２２４は、立ち上がり部２２３の一部が上下方向に切り欠かれて形成される。本実施形態では、切り欠き部２２４は、立ち上がり部２２３の前面側に、立ち上がり部２２３の全長に亘って形成される。本実施形態では、導入口２２２の外周のうちの切り欠き部２２４が形成された部分の長さは、切り欠き部２２４が形成されていない部分の長さよりも短く形成される。
尚、ここで、上下方向とは、蓋部２２を、平面部２２１ａが水平面となるように配置した場合における上下方向をいう。
【００２３】
複数の排水開口２２５は、蓋本体２２１における立ち上がり部２２３の根元部分近傍に形成される。本実施形態では、排水開口２２５は、４つ形成される。４つの排水開口２２５のうち、立ち上がり部２２３の前面側に配置される排水開口２２５ａは、切り欠き部２２４に連続するように、かつ、蓋本体２２１の前縁部まで延びて形成される。この前面側に配置された排水開口２２５ａを除く３つの排水開口２２５ｂは、蓋本体２２１を貫通する貫通穴として形成される。
複数の排水開口２２５は、排水管４０からの排水が蓋部２２の上面側に漏れた場合に、この漏れた水をタンク本体２１に排出する。
【００２４】
複数の突起部２２６は、図４に示すように、上面視にて立ち上がり部２２３の外面における排水開口２２５に重なる位置に形成され、立ち上がり部２２３の周方向に延びる。本実施形態では、突起部２２６は、３つの排水開口２２５ｂに対応する位置に、３つ配置される。この突起部２２６は、後述するように排水管４０を立ち上がり部２２３に接続した場合における抜け止め機構として機能する。
【００２５】
下側筒状部２２７は、蓋本体２２１の下面における導入口２２２の周囲から下方に筒状に突出して形成される。即ち、図３に示すように、立ち上がり部２２３及び下側筒状部２２７は、蓋本体２２１を貫通するように上下方向に延びる。
下側切り欠き部２２８は、下側筒状部２２７の一部が切り欠かれるようにして形成される。本実施形態では、下側切り欠き部２２８は、切り欠き部２２４から連続して下方に延びて形成される。
【００２６】
下側壁部２２９は、排水開口２２５ａの一対の側縁から下方に延出して形成される。
排水受け部２３０は、下側筒状部２２７及び排水開口２２５ａの下方に配置される。この排水受け部２３０は、前面側に下り傾斜となるように構成される。本実施形態では、排水受け部２３０は、下側筒状部２２７及び一対の下側壁部２２９の下端部に連続して形成される。即ち、蓋本体２２１の下面側には、下側筒状部２２７、一対の下側壁部２２９及び排水受け部２３０で囲まれた排水の流路が形成される。一対の下側壁部２２９及び排水受け部２３０で囲まれた流路の先端（前面側）は、前面側に開口している。
以上の排水受け部２３０における下側切り欠き部２２８よりも下流側の幅Ｗ１は、下側切り欠き部２２８の幅よりも広くなっている。
【００２７】
導出口２３１は、蓋本体２２１における導入口２２２よりも背面側に形成される。この導出口２３１には、後述の手洗い側給水配管３４が挿通される（図２参照）。
周壁部２３２は、蓋本体２２１の周縁の近傍に設けられ、蓋本体２２１の上面から起立する。周壁部２３２は、蓋本体２２１の全周に亘って設けられる。
【００２８】
以上の蓋部２２は、例えば、蓋部２２の上面側の形状に対応した形状の上金型と蓋部２２の下面側の形状に対応した形状の下金型とを用いて、合成樹脂を一体成形することで形成される。
【００２９】
手洗い器３０は、図１及び図２に示すように、タンク２０の側方かつ上方に配置される。この手洗い器３０は、手洗い鉢３１と、手洗い吐水管３２と、を備える。
手洗い鉢３１は、手洗い吐水管３２から吐出される手洗い水を受ける。この手洗い鉢３１の底部には、排水口３１１が形成されている。手洗い吐水管３２は、手洗い鉢３１から起立するように配置される。この手洗い吐水管３２の先端部は、下方に開口している。
手洗い吐水管３２の基端部は、手洗い側給水配管３３，３４を介してタンク２０に洗浄水を供給する給水部（図示せず）に接続される。
【００３０】
以上の手洗い器３０には、タンク２０に供給される洗浄水の一部が、手洗い側給水配管３３，３４を介して手洗い吐水管３２に供給される。これにより、給水部の動作によりタンク２０に洗浄水が貯留される場合に、この貯留される洗浄水の一部が手洗い吐水管３２から吐出される。
【００３１】
排水管４０は、タンク２０と手洗い器３０とを接続し、手洗い器３０から排出される排水をタンク２０に導く。排水管４０は、図５及び図６に示すように、管本体部４１と、手洗い器接続部４２と、タンク接続部４３と、縮径部４４と、リブ部４５と、固定バンドとしてのピンバンド４６と、を備える。
管本体部４１は、山折り部及び谷折り部が繰り返されて形成された蛇腹構造部を有して構成される。これにより、管本体部４１は、屈曲及び伸縮自在に構成される。
【００３２】
手洗い器接続部４２は、排水管４０の上流側の端部を構成し、手洗い鉢３１の排水口３１１に接続される。本実施形態では、手洗い器接続部４２は、屈曲した筒状の屈曲部４２１と、この屈曲部４２１の先端側に配置され屈曲部４２１よりも太径の手洗い器側連結部４２２と、を備える。
【００３３】
タンク接続部４３は、排水管４０の下流側の端部を構成し、タンク２０の蓋部２２に接続される。このタンク接続部４３は、蓋部２２の立ち上がり部２２３の外径よりも若干大きな内径を有する筒状に形成される。また、タンク接続部４３の高さＨ１は、立ち上がり部２２３の高さよりも高く構成される。
【００３４】
縮径部４４は、タンク接続部４３の上流側かつ管本体部４１の下流側、即ちタンク接続部４３と管本体部４１との間に配置される。縮径部４４は、管本体部４１よりも小径の筒状に形成される。本実施形態では、縮径部４４の径は、管本体部４１の谷折り部における径と略同径に構成される。
縮径部４４の高さＨ２は、ピンバンド４６の取付性を高める観点から、５ｍｍ〜１０ｍｍ程度であることが好ましい。
【００３５】
リブ部４５は、タンク接続部４３の先端部に配置されタンク接続部４３の径方向の外側に延出する。
ピンバンド４６は、例えば、一本の針金を湾曲及び屈曲させて形成される。このピンバンド４６は、環状の締付部４６１と、この締付部４６１を開閉させる一対のつまみ部４６２と、を備える。
締付部４６１は、一対のつまみ部４６２を操作することで、拡径及び縮径可能に構成される。即ち、締付部４６１の内径は、外力を加えない通常状態における内径（最小内径）と、一対のつまみ部４６２を摘んで締付部４６１を開いた状態における内径（最大内径）と、の間で拡径及び縮径可能に構成される。
【００３６】
本実施形態では、ピンバンド４６は、縮径部４４に取り付けられる。ピンバンド４６の締付部４６１の通常時の内径（最小内径）は、縮径部４４の外径よりも大きく、かつ、タンク接続部４３の外径よりも小さく構成される。また、ピンバンド４６の締付部４６１を最大に拡径させた場合の内径（最大内径）は、タンク接続部４３の外径よりも大きくなるよう構成される。言い換えれば、縮径部４４の外径は、締付部４６１の最小内径よりも小さく構成される。また、タンク接続部４３の外径は、締付部４６１の最小内径よりも大きく、かつ、最大内径よりも小さく構成される。
【００３７】
以上の排水管４０は、ピンバンド４６を除いた部分が、例えば、ポリプロピレン等の合成樹脂を一体成型することで形成される。これにより、排水管４０は、管本体部４１において柔軟性を有し、手洗い器接続部４２、タンク接続部４３及び縮径部４４においては柔軟性を有さないように構成される。ここで、柔軟性を有さないとは、人の指で押した程度では容易に変形しない硬さを有することをいう。即ち、本実施形態の排水管４０における手洗い器接続部４２、タンク接続部４３及び縮径部４４は、いわゆるビニールホースのような径方向に伸縮性を有する部材ではなく、径方向に伸縮性を有さない部材により構成される。
排水管４０は、手洗い器接続部４２（手洗い器側連結部４２２）を手洗い鉢３１の排水口３１１に接続し、タンク接続部４３を立ち上がり部２２３に嵌めることで、手洗い器３０及びタンク２０に接続される。
【００３８】
ここで、排水管４０とタンク２０との接続の手順につき、図７〜図９を参照しながら説明する。
排水管４０をタンク２０に接続する場合、まず、図７に示すように、ピンバンド４６を縮径部４４に取り付けておく。また、管本体部４１を水平にした状態でタンク接続部４３が下向きになるように管本体部４１の先端側を屈曲させる。この状態で、図８に示すように、タンク接続部４３を立ち上がり部２２３の外側に嵌める。ここで、立ち上がり部２２３には、切り欠き部２２４が形成されているので、タンク接続部４３を立ち上がり部２２３に嵌める場合に、立ち上がり部２２３を縮径する方向に撓ませられる。これにより、タンク接続部４３が柔軟性を有していなくても、タンク接続部４３と立ち上がり部２２３との接続を容易に行える。また、立ち上がり部２２３の外面には、複数の突起部２２６が配置されているので、立ち上がり部２２３に嵌めたタンク接続部４３を抜けにくくできる。
【００３９】
次いで、図９に示すように、ピンバンド４６の一対のつまみ部４６２を摘んで締付部４６１を拡径させ、タンク接続部４３側に移動させた後、つまみ部４６２を離す。これにより、ピンバンド４６によって立ち上がり部２２３の外側に嵌めたタンク接続部４３を締め付けた状態で、排水管４０をタンク２０に接続できる。ここで、タンク接続部４３の先端部にはリブ部４５が配置されているので、ピンバンド４６をタンク接続部４３側に移動させるときに、ピンバンド４６がタンク接続部４３を通り過ぎて立ち上がり部２２３のみを締め付けてしまうことを防げる。
【００４０】
以上のようにしてタンク２０に接続された排水管４０を流れる排水は、導入口２２２からタンク２０の内部に導入される。より詳細には、タンク接続部４３から導出された排水は、立ち上がり部２２３及び下側筒状部２２７に導かれて下方に向かい、その後、下側筒状部２２７、一対の下側壁部２２９及び排水受け部２３０で囲まれた流路に沿ってタンク２０の前面側に流れ、前面側に形成された開口からタンク２０の内部に導入される。
【００４１】
ここで、本実施形態では、蓋部２２における立ち上がり部２２３の根元部分近傍に排水開口２２５を形成している。これにより、立ち上がり部２２３とタンク接続部４３との接続部分から水が漏れた場合にも、この漏れた水を排水開口２２５からタンク２０の内部に導ける。
【００４２】
また、蓋本体２２１の下面側に、下側筒状部２２７、下側切り欠き部２２８、及び排水受け部２３０を配置して蓋部２２を構成している。これにより、排水管４０から導入口２２２に導入された排水を、排水受け部２３０により受け、この排水受け部２３０の下り傾斜面に沿って下側切り欠き部２２８を通じてタンク２０の内部に導ける。よって、排水管４０からタンク２０に排水を導入する場合に生じる音を小さくできる。
【００４３】
また、排水受け部２３０における下側切り欠き部２２８の下流側の幅Ｗ１を、下側切り欠き部２２８の幅よりも広く構成している。これにより、導入口２２２から下側筒状部２２７に導入され排水受け部２３０の表面を流れる排水の流れを、下側切り欠き部２２８において一端狭めた後再び拡幅させてタンク２０の内部に導ける。よって、タンク２０の内部により落ち着いた状態で排水を導入できるので、排水管４０からタンク２０に排水を導入する場合に生じる音をより小さくできる。
【００４４】
次に、収納部５０について説明する。
収納部５０は、便器１０の後方に配置され、タンク２０及び排水管４０を収納する。また、この収納部５０の上部には手洗い器３０が設けられる。収納部５０は、例えば、収納部付き便器装置１００を設置するトイレルームの一の壁面に沿うように配置される。
収納部５０は、収納部本体５１と、この収納部本体５１の内部空間を幅方向に区画する一対の仕切り板５２Ｌ，５２Ｒと、これら一対の仕切り板５２Ｌ，５２Ｒをつなぐ背板５３と、備える。
【００４５】
収納部本体５１は、前板５１１と、一対の扉板５１２Ｌ，５１２Ｒと、天板５１３と、を含んで構成される。前板５１１は、タンク２０の前面側に配置されタンク２０の前面を覆う。前板５１１の幅は、便器１０の幅よりも若干広く形成される。
一対の扉板５１２Ｌ，５１２Ｒは、前板５１１の両側部にそれぞれ、前板５１１に沿って配置される。一対の扉板５１２Ｌ，５１２Ｒは、前板５１１に対してヒンジ（図示せず）を介して連結される。これにより、一対の扉板５１２Ｌ，５１２Ｒは、前板５１１に対して開閉可能に連結される。
【００４６】
天板５１３は、収納部５０の上面を構成する。天板５１３は、収納部本体５１の上面のうち、手洗い器３０が配置されていない位置に配置される。本実施形態では、手洗い器３０は、図１に示すように、収納部５０を便器１０側から視た場合における左側の上部に配置されており、天板５１３は、収納部５０の上面の中央部及び右側を覆うように配置される。
【００４７】
一対の仕切り板５２Ｌ，５２Ｒは、前板５１１の幅方向のそれぞれの端部に、前板５１１に直交して配置される。即ち、一対の仕切り板５２Ｌ，５２Ｒは、タンク２０を幅方向に挟むように配置され、収納部本体５１の内部を幅方向に区画する。
仕切り板５２Ｌ，５２Ｒの上端部は、タンク２０の上端部よりも高い位置に位置する。また、仕切り板５２Ｌ，Ｒの上端部には、排水側切り欠き部５２２と、給水側切り欠き部５２３と、が形成される。
【００４８】
排水側切り欠き部５２２には、後述の排水管トレー６０を介して排水管４０が配置される。給水側切り欠き部５２３には、手洗い側給水配管３３が配置される。
排水側切り欠き部５２２の深さは、排水管４０の直径よりも深く形成される。給水側切り欠き部５２３の深さは、手洗い側給水配管３３の直径よりも深く形成される。
【００４９】
一対の仕切り板５２Ｌ，Ｒの前面には、ビス５２１を介して前板５１１が固定される。また、一対の仕切り板５２Ｌ，Ｒの上面には、天板５１３が固定される。
尚、仕切り板５２Ｌ，５２Ｒには、タンク２０に洗浄水を供給する給水管（図示せず）や、上述のフロート弁を操作するための部材（図示せず）等を通すための貫通穴が形成される。
【００５０】
背板５３は、タンク２０の後面側における上方に配置される。背板５３は、一対の仕切り板５２Ｌ，５２Ｒの上部をつなぐ。
【００５１】
以上の収納部５０によれば、収納部本体５１の幅方向の中央部にタンク２０が収納（配置）される。また、手洗い器３０は、収納部本体５１の左側部の上部に配置される。また、収納部本体５１の内部における一対の仕切り板５２Ｌ，５２Ｒの幅方向の外側には、それぞれ、物品を収納可能な物品収納空間が形成される。そして、扉板５１２Ｌ，５１２Ｒを開閉させることで、この物品収納空間に物品を出し入れできる。
尚、収納部５０の側面は、トイレルームの壁面を利用することで、収納部５０の側面を構成する板材を含むことなく収納部本体５１を構成できる。
【００５２】
排水管トレー６０は、図２に示すように、仕切り板５２Ｌに取り付けられ、排水管４０を支持する。この排水管トレー６０は、排水管支持部６１と、差込部６２と、リブ部６３と、を備える。
排水管支持部６１は、筒状に構成されると共に、この筒状の周面に形成され長手方向に延びる開口部６１１を有して構成される。開口部６１１は、排水管支持部６１を水平方向に向けた場合における上面に形成され、排水管支持部６１の長手方向の全長に亘って延びる。開口部６１１の幅は、排水管支持部６１に差し込まれる排水管４０の直径よりも小さく形成される。
【００５３】
差込部６２は、排水管支持部６１の長手方向の中央部における開口部６１１が形成された側と反対側（下面側）に配置される。差込部６２は、仕切り板５２Ｌに形成された排水側切り欠き部５２２に差し込まれ、これにより、排水管トレー６０が仕切り板５２Ｌに固定される。
【００５４】
リブ部６３は、排水管支持部６１における長手方向の一端部に配置される。このリブ部６３は、排水管支持部６１の端部から下方に向かって延出する。
【００５５】
以上の排水管トレー６０は、図２に示すように、差込部６２を排水側切り欠き部５２２に差し込んだ場合に、リブ部６３がタンク２０側に位置し、かつ、排水管支持部６１が手洗い器３０側からタンク２０側に向かって下り傾斜となるように仕切り板５２Ｌに固定される。これにより、排水管トレー６０を仕切り板５２Ｌに固定した状態で、排水管支持部６１を手洗い器３０側からタンク２０側に向かって下り傾斜させられる。
【００５６】
以上の収納部付き便器装置１００によれば、手洗い器３０とタンク２０とを接続する排水管４０を、略水平方向に延びる部分（管本体部４１）が排水管トレー６０（排水管支持部６１）に支持された状態で、安定的に配置できる。また、排水管支持部６１が手洗い器３０側からタンク２０側に向かって下り傾斜しているので、手洗い器３０から排出されて排水管４０を流れる排水を、逆流させることなくタンク２０に導入できる。
【００５７】
また、排水管４０とタンク２０との接続構造を、タンク２０の蓋部２２に形成した導入口２２２と、この導入口２２２の周囲から立ち上がる立ち上がり部２２３と、排水管４０の下流側端部に配置され立ち上がり部２２３の外側に嵌められるタンク接続部４３と、を含んで構成した。これにより、立ち上がり部２２３の外側にタンク接続部４３を嵌めることで、排水管４０とタンク２０とを容易に接続できる。また、蓋部２２から上方に立ち上がる立ち上がり部２２３に排水管４０の下流側端部であるタンク接続部４３を嵌めて排水管４０とタンク２０とを接続しているので、排水管４０の上流側の位置にかかわらず排水管４０とタンク２０とを好適に接続できる。よって、排水管４０の配置の自由度を確保しつつ、排水管４０を安定的にタンク２０に接続できる。
特に、本実施形態では、上方に配置された手洗い器３０の排水をこの手洗い器３０よりも下方に配置されたタンク２０に導入する排水管４０について、タンク２０側の立ち上がり部２２３と排水管４０側のタンク接続部４３との接続構造を採用しているので、下方から上方に圧力を加えて給水を行う場合のように立ち上がり部２２３とタンク接続部４３とを密着させて接続することを要しない。よって、タンク接続部４３を柔軟性を有さない部材により形成し、また、タンク接続部４３の内径を立ち上がり部２２３の外径よりも若干大きく構成することで、タンク接続部４３を立ち上がり部２２３に容易に接続できる。
【００５８】
また、排水管４０とタンク２０との接続構造を、立ち上がり部２２３に形成した切り欠き部２２４を含んで構成した。これにより、タンク接続部４３を立ち上がり部２２３に嵌める場合に、立ち上がり部２２３を縮径する方向に撓ませられるので、タンク接続部４３と立ち上がり部２２３との接続を容易に行える。
【００５９】
また、導入口２２２の外周のうちの切り欠き部２２４が形成された部分の長さを、切り欠き部２２４が形成されていない部分の長さよりも短く形成した。これにより、タンク接続部４３と立ち上がり部２２３との接続を安定的に保てる。
【００６０】
また、排水管４０とタンク２０との接続構造を、タンク接続部４３を締付可能なピンバンド４６を含んで構成した。これにより、立ち上がり部２２３にタンク接続部４３を嵌めた後、ピンバンド４６でタンク接続部４３を締め付けることで、排水管４０とタンク２０とをより強固に接続できる。
【００６１】
また、排水管４０とタンク２０との接続構造を、蓋部２２における立ち上がり部２２３の根元部分近傍に形成した排水開口２２５を含んで構成した。これにより、立ち上がり部２２３とタンク接続部４３との接続部分から水が漏れた場合にも、この漏れた水を排水開口２２５からタンク２０の内部に導ける。また、立ち上がり部２２３の根元部分に排水開口２２５を形成することで、立ち上がり部２２３の撓み性を高められるので、立ち上がり部２２３とタンク接続部４３との接続をより容易に行える。
【００６２】
また、排水管４０とタンク２０との接続構造を、立ち上がり部２２３の外面における排水開口２２５の上方に形成した突起部２２６を含んで構成した。これにより、立ち上がり部２２３に嵌めたタンク接続部４３をより抜けにくくでき、排水管４０とタンク２０との接続の安定性を高められる。また、突起部２２６を、上面視において排水開口２２５に重なる位置に配置したので、金型を用いて蓋部２２を成形する場合に、突起部２２６を含む蓋部２２を容易に成形できる。
【００６３】
また、排水管４０とタンク２０との接続構造を、下側筒状部２２７と、下側切り欠き部２２８と、排水受け部２３０とを含んで構成した。これにより、排水管４０から導入口２２２に導入された排水を、排水受け部２３０により受け、この排水受け部２３０の下り傾斜面に沿って下側切り欠き部２２８を通じてタンク２０の内部に導ける。よって、排水管４０からタンク２０に排水を導入する場合に生じる音を小さくできる。
【００６４】
また、排水受け部２３０における下側切り欠き部２２８の下流側の幅Ｗ１を、下側切り欠き部２２８の幅よりも広く構成した。これにより、導入口２２２から下側筒状部２２７に導入され排水受け部２３０の表面を流れる排水の流れを、下側切り欠き部２２８において一端狭めた後再び拡幅させてタンク２０の内部に導ける。よって、タンク２０の内部により落ち着いた状態で排水を導入できるので、排水管４０からタンク２０に排水を導入する場合に生じる音をより小さくできる。
【００６５】
以上、本発明の排水管４０とタンク２０との接続構造の好ましい一実施形態について説明したが、本発明は、上述した実施形態に制限されるものではなく、適宜変更が可能である。
例えば、本実施形態では、導入口２２２の外周のうちの切り欠き部２２４が形成された部分の長さを、切り欠き部２２４が形成されていない部分の長さよりも短く形成したが、これに限らない。即ち、導入口の外周のうちの切り欠き部が形成された部分の長さを、切り欠き部が形成されていない部分の長さ以上に形成してもよい。
【００６６】
また、本実施形態では、導入口２２２を円形に形成したが、これに限らない。即ち、導入口を楕円形に形成してもよく、また、多角形に形成してもよい。
【００６７】
また、本実施形態では、管本体部４１を蛇腹構造部により構成したが、これに限らない。即ち、管本体部を所定の形状に屈曲させた筒状部材により構成し、縮径部をこの筒状の管本体部よりも小径に構成してもよい。
【００６８】
また、本実施形態では、蛇腹構造部を有する排水管４０を合成樹脂により構成したが、これに限らない。即ち、蛇腹構造部を有する排水管を金属により構成してもよい。
【００６９】
また、本実施形態では、固定バンドをピンバンド４６により構成したが、これに限らない。即ち、固定バンドを、締付部と、この締付部を操作可能な操作部と、を備える他のバンドにより構成してもよい。
【００７０】
また、本実施形態では、手洗い器３０をタンク２０の左側方に配置したが、これに限らない。即ち、手洗い器３０を、タンク２０の右側方に配置してもよい。この場合、排水管４０及び排水管トレー６０、並びに手洗い側給水配管３３は、仕切り板５２Ｒに形成された排水側切り欠き部５２２及び給水側切り欠き部５２３に配置できる。
【００７１】
また、本実施形態では、本発明を収納部付き便器装置１００に適用したが、これに限らない。即ち、本発明を、収納部を有さない便器装置に適用してもよい。
【符号の説明】
【００７２】
１０  便器
２０  タンク
２２  蓋部
３０  手洗い器
４０  排水管
４３  タンク接続部
４６  ピンバンド（固定バンド）
１００  収納部付き便器装置（便器装置）
２２１  蓋本体
２２２  導入口
２２３  立ち上がり部
２２４  切り欠き部
２２５  排水開口
２２６  突起部
２２７  下側筒状部
２２８  下側切り欠き部
２３０  排水受け部
【図１】
2015190268.tif 000003
【図２】
2015190268.tif 000004
【図３】
2015190268.tif 000005
【図４】
2015190268.tif 000006
【図５】
2015190268.tif 000007
【図６】
2015190268.tif 000008
【図７】
2015190268.tif 000009
【図８】
2015190268.tif 000010
【図９】
2015190268.tif 000011